(57)【特許請求の範囲】
【請求項１】
縦梁と横梁により矩形に組まれた梁伏を最小単位として少なくとも一つの該梁伏で構成される床梁と、
最小単位の前記梁伏に対して前記横梁が延びる方向に並列に配置された複数の床パネルからなる床材と、
所定距離を隔てて配置された複数の取付固定部を有する取付部材と該取付部材に固着されたばね部材と該ばね部材に弾性支持されたマス部材とからなり、前記床材に対して各前記取付固定部が複数箇所に固定されて設置された複数のダイナミックダンパと、を備えた床構造であって、
前記ダイナミックダンパは、前記床材の前記縦梁側の辺を４等分して該辺の両端から１／４となる位置を通り前記横梁と平行な２本の直線において、一方の直線上に一方の前記取付固定部が位置するとともに、他方の直線上に他方の前記取付固定部が位置するように固定されていることを特徴とする床構造。
【請求項２】
前記床パネルは、軽量発泡コンクリート製である請求項１に記載の床構造。
【請求項３】
前記ダイナミックダンパは、互いに距離を隔てて配置される一対の取付部材と、一対の該取付部材の間に配置される柱状のマス部材と、各前記取付部材にそれぞれ設けられて前記マス部材の両端を弾性支持する弾性支持部材と、から構成されている請求項１又は２に記載の床構造。
【請求項４】
前記ダイナミックダンパは、前記床材の前記縦梁が延びる方向の中央部を跨ぐようにして両方の前記直線上に各前記取付固定部が位置するように固定されている請求項１〜３のいずれか１項に記載の床構造。
【請求項５】
前記ダイナミックダンパは、床固有値の上下の範囲で複数種類の共振周波数を有するようにチューニングされている請求項１〜４のいずれか１項に記載の床構造。
【発明の詳細な説明】
【技術分野】
【０００１】
本発明は、例えば一般住宅及び集合住宅（アパート、マンション）等の建築構造物の床構造に関する。
【背景技術】
【０００２】
一般住宅等においては、床に飛び跳ねや踏み台からの降下等による衝撃が加わると振動が発生し、その振動が不快音や不快震動等の原因となることから問題となる。特に、複数階建ての戸建住宅や集合住宅等においては、居室や廊下の床に発生する振動や衝撃音が下階に直接的に伝播されるため、下階の住人にとっては甚だしい騒音となる場合がある。
【０００３】
そこで、一般住宅等の床に発生する振動や衝撃音を抑制するために、従来より種々の対策が講じられており、例えば重量床衝撃音（６３Ｈｚ帯域）対策として、高質量で高剛性の軽量気泡コンクリート（以下、「ＡＬＣ」ともいう。）製の床パネルを床材として採用した床構造が知られている。この床構造では、建築構造物の床梁上にＡＬＣ製の床パネル両端部が載置されて、複数の床パネルが隣接するように並列状に配置されている。なお、ここで採用されるＡＬＣとは、石灰質原料とケイ酸質材料を主原料とし、発泡剤を加えて発泡させるか、予め作った気泡を混入して多孔質化させた後、オートクレーブ養生して得られる軽量の気泡コンクリートのことである。
【０００４】
また、例えば特許文献１〜３には、住宅等の建物の床に発生する振動や衝撃音を低減するために、ブラケット（取付部材）の基部に固着されたばね部材と該ばね部材に弾性支持されたマス部材とからなり、床材を支持する梁や根太等の床支持部材に設置されるダイナミックダンパが開示されている。このダイナミックダンパは、振動入力によって床が特定の周波数で振動するときに、床に対してマス部材がばね部材のばね作用を介して共振することにより、床の振動を減衰させて抑制することができる。なお、ダイナミックダンパの共振周波数は、マス部材の質量とばね部材のばね定数とによって基本的に定まり、低減すべき振動や衝撃音の周波数に合わせてチューニングされる。
【０００５】
また、例えば特許文献４には、ダイナミックダンパを設置すべき床の重量に応じてダイナミックダンパの重量の適正化を図ることにより、床衝撃音の有効な防止を図ることができるようにするために、ダイナミックダンパの重量／床重量を０．０２〜０．５とすることが開示されている。
【０００６】
ところで、建築構造物の床の遮音性能は、ＪＩＳ・Ａ１４１８−２「建築物の床衝撃音遮断性能の測定方法・第２部：標準重量衝撃源による方法」に基づいて一般に評価されている。この評価において、重量床衝撃音の遮音性能をレベル等級ＬＨ６５〜ＬＨ７０のレベルに向上させる方策としては、床重量（振動体重量）を重くする方法が有効である。しかし、この方法を採用する場合には、床重量がアップするのに伴い、躯体や基礎を大きくしたり頑強に補強する必要があるため、建築構造物の基本構造の変更やコストアップを招くこととなる。そのため、床重量を重くする方法には限界がある。
【０００７】
そこで、本出願人は、少しの床重量のアップで良好な遮音性能が得られるようにした床構造を提案した（特願２００４−２０７７８９号）。即ち、この床構造は、縦梁と横梁により矩形に組まれた梁伏を最小単位として少なくとも一つの該梁伏で構成される床梁と、最小単位の前記梁伏に対して前記横梁が延びる方向に並列に配置された複数の床パネルからなる床材と、該床材の前記縦梁側の辺を４等分して該辺の両端から略１／４となる位置に沿って二列に配置され、それぞれの列に重心が略沿うようにして４箇所以上に設置されたばね部材及びマス部材からなる制振装置と、から構成されている。この床構造によれば、重量床衝撃音を５ｄＢ低減する（レベル等級を１ランクアップさせる）ことが可能である。
【０００８】
ところで、この床構造において、重量床衝撃音のΔ５ｄＢの低減効果を確保するためには、通常、各ダイナミックダンパを構成するマス部材の総合質量が床重量（振動体重量）の約１５〜１８％程度必要となる。そのため、ダイナミックダンパの設置個数も多くなり、コスト高になり易い。
【特許文献１】特開２０００−３５５９９４号公報
【特許文献２】特開２００３−２７８４０９号公報
【特許文献３】特開２００４−３２８０号公報
【特許文献４】特開平４−２１３６５０号公報
【発明の開示】
【発明が解決しようとする課題】
【０００９】
本発明は上記実状に鑑みてなされたものであり、床重量のアップを抑制しつつ、重量床衝撃音を効率的に低減することができる床構造を提供することを解決すべき課題とするものである。
【課題を解決するための手段】
【００１０】
上記課題を解決する本発明は、縦梁と横梁により矩形に組まれた梁伏を最小単位として少なくとも一つの該梁伏で構成される床梁と、最小単位の前記梁伏に対して前記横梁が延びる方向に並列に配置された複数の床パネルからなる床材と、所定距離を隔てて配置された複数の取付固定部を有する取付部材と該取付部材に固着されたばね部材と該ばね部材に弾性支持されたマス部材とからなり、前記床材に対して各前記取付固定部が複数箇所に固定されて設置された複数のダイナミックダンパと、を備えた床構造であって、前記ダイナミックダンパは、前記床材の前記縦梁側の辺を４等分して該辺の両端から１／４となる位置を通り前記横梁と平行な２本の直線において、一方の直線上に一方の前記取付固定部が位置するとともに、他方の直線上に他方の前記取付固定部が位置するように固定されていることを特徴としている。
【００１１】
本発明の床構造においては、床材（床パネル）に飛び跳ねや踏み台からの下降等による衝撃が加わって振動が発生すると、床材によりその衝撃が緩和されると同時に、振動入力によって床材が特定の周波数で振動する時に、床材に対してダイナミックダンパのマス部材がばね部材のばね作用を介して共振することにより、床材の振動が減衰し抑制される。これにより、床に発生する重量床衝撃音（６３Ｈｚ帯域）が効率的に低減される。特に、本発明の床構造では、床材に対して、ダイナミックダンパが上記のように設置されていることにより、床重量（振動体重量）に対するマス部材の総合質量の比率を小さくすることが可能となる。よって、本発明の床構造によれば、床重量のアップを抑制しつつ、重量床衝撃音を効率的に低減することが可能となる。
【００１２】
本発明において、床材に用いられる床パネルとしては、プレキャストコンクリートや木質系のパネル材等が採用される。特に、高剛性で高質量のコンクリート製の床パネルは、重量床衝撃音対策に好適であるが、中でも、軽量気泡コンクリート（ＡＬＣ）製の床パネルが好ましい。
【００１３】
床材に対して設置されるダイナミックダンパは、所定距離を隔てて配置された複数の取付固定部を有する取付部材と、該取付部材に固着されたばね部材と、該ばね部材に弾性支持されたマス部材とからなる。このダイナミックダンパは、床材の縦梁側の辺を４等分して該辺の両端から１／４となる位置を通り横梁と平行な２本の直線上に各取付固定部が位置するように固定されている。この場合、ダイナミックダンパは、床材と接触する各取付固定部の接触面の一部が、その直線上に位置するようにされていればよいが、各床パネルの幅方向（横梁が延びる方向）における中央部に設置するのが好ましい。ダイナミックダンパは、床材の縦梁が延びる方向の中央部を跨ぐようにして両方の直線上に各取付固定部が位置するように固定されているのが好ましいが、一方の直線上にのみ各取付固定部が位置するように固定されていてもよい。
【００１４】
本発明においては、ばね部材としてゴム弾性体が用いられたダイナミックダンパを好適に採用することができる。この場合、ゴム弾性体が圧縮変形するようにマス部材を弾性支持する圧縮タイプのものや、ゴム弾性体が剪断変形するようにマス部材の両端を弾性支持する剪断タイプのもの等を採用することができる。特に、本発明においては、ゴム弾性体が剪断変形するように剪断配置されたダイナミックダンパを採用し、ゴム弾性体についてはｔａｎδの値が０．０１以上０．１未満となる特性を有するように形成することが望ましい。それは、剪断配置にすることにより振幅依存性が小さくなり、ゴム弾性体のｔａｎδを０．０１以上０．１未満にすることによりクリープ変動が小さくなり、温度依存性や経年変動、振幅依存性等も小さくなり、重量床衝撃音の良好な遮音性能をより安定した状態で発揮できるからである。
【００１５】
なお、本発明の好適な態様として、それぞれ取付固定部を有し互いに距離を隔てて配置される一対の取付部材と、一対の取付部材の間に配置される柱状のマス部材と、一対の取付部材にそれぞれ設けられてマス部材の両端を弾性支持する弾性支持部材と、から構成されているダイナミックダンパを好適に採用することができる。また、ダイナミックダンパは、床固有値の上下の範囲で複数種類の共振周波数を有するように設定されているのが好ましい。このようにすれば、重量床衝撃音の低減を目的とする周波数に幅をもたせることができるので、構造物件の違い等による床固有値のバラツキを吸収することが可能となり、ダイナミックダンパの重量床衝撃音低減機能をより確実に発揮させることができる。
【発明の効果】
【００１６】
本発明の床構造によれば、ダイナミックダンパは、所定距離を隔てて配置された複数の取付固定部を有する取付部材を備え、床材の縦梁側の辺を４等分して該辺の両端から１／４となる位置を通り横梁と平行な２本の直線上に各取付固定部が位置するように固定されているため、床重量（振動体重量）に対するマス部材の総合質量の比率を小さくすることができる。これにより、床重量のアップを抑制しつつ、重量床衝撃音を効率的に低減することができる。
【発明を実施するための最良の形態】
【００１７】
以下、本発明の実施形態を図面に基づいて説明する。
図１は本実施形態に係る床構造の底面図であって上階の床を裏面側から見上げた状態を示す図であり、図２は本実施形態に係る床構造に用いられるダイナミックダンパを示す図であって（ａ）はその平面図、（ｂ）はその正面図である。
【００１８】
本実施形態の床構造は、縦梁１ａ、１ｂと横梁１ｃ、１ｄにより矩形に組まれた最小単位として構成される一つの梁伏からなる床梁１と、床梁１に対して横梁１ｃ、１ｄが延びる方向に並列に配置された６枚のＡＬＣ製の床パネル２１〜２６よりなる床材２と、それぞれ取付固定部３１ａを有する一対の取付部材３１、３１と柱状のマス部材３２と一対の弾性支持部材３３、３３とからなり、床材２に対して設置された６個のダイナミックダンパ３、…、３と、から構成されている。
【００１９】
床梁１は、Ｈ型鋼が採用されており、２本の縦梁１ａ、１ｂと、その縦梁１ａ、１ｂの両端どうしを結ぶ２本の横梁１ｃ、１ｄとにより矩形に組まれている。この床梁１は、縦梁１ａ、１ｂの芯−芯間寸法が２７５０ｍｍとされ、横梁１ｃ、１ｄの芯−芯間寸法が１７５０ｍｍとされている。
【００２０】
床パネル２１〜２６は、軽量気泡コンクリート（ＡＬＣ）製の長い板状のものが採用されている。この床パネル２１〜２６は、長手方向の両端部が床梁１の横梁１ｃ、１ｄ上に載置された状態で、横梁１ｃ、１ｄが延びる方向に並列に配置されている。両側の２枚の床パネル２１、２６は、長さが１７５０ｍｍ、幅が３１０ｍｍ、厚さが１００ｍｍのものである。中央部の４枚の床パネル２２〜２５は、長さが１７５０ｍｍ、幅が５００ｍｍ、厚さが１００ｍｍのものである。
【００２１】
ダイナミックダンパ３、…、３は、図２（ａ）（ｂ）に示すように、それぞれ取付固定部３１ａ、３１ａを有し互いに距離を隔てて配置される一対の取付部材３１、３１と、一対の取付部材３１、３１の間に配置される柱状のマス部材３２と、一対の取付部材３１、３１にそれぞれ設けられてマス部材３２の両端を弾性支持する一対の弾性支持部材３３、３３と、から構成されている。取付部材３１、３１は、ぞれぞれ１枚の鉄板を略直角に折り曲げて断面Ｌ字形状に形成されたものであり、矩形に形成された取付固定部３１ａ、３１ａと、取付固定部３１ａ、３１ａの一端から立ち上がる矩形の立上り部３１ｃ、３１ｃとからなる。各取付固定部３１ａ、３１ａの中央部には、取付ボルト（図示せず）が挿通される取付孔３１ｂ、３１ｂが設けられている。
【００２２】
マス部材３２は、鉄系金属により径が一定の長尺円柱状に形成されており、所定の質量（７．５ｋｇ）を有するように設定されている。そして、弾性支持部材３３、３３は、円柱状に形成されたゴム弾性体３３ａ、３３ａと、円板状に形成されてゴム弾性体３３ａ、３３ａの一端面に加硫接着された金属プレート３３ｂ、３３ｂと、頭部がゴム弾性体３３ａ、３３ａに埋設されてねじ部が金属プレート３３ｂ、３３ｂの中央部に形成された挿通孔から突出する連結ボルト３３ｃ、３３ｃと、各連結ボルト３３ｃ、３３ｃに螺着されたナット３３ｄ、３３ｄとからなる。なお、ゴム弾性体３３ａ、３３ａは、天然ゴム（ＮＲ）系のゴム材料で形成されており、ｔａｎδの値が０．０１以上０．１未満となる範囲の特性を有し、クリープ変動が小さく耐へたり性が良いものである。
【００２３】
この弾性支持部材３３、３３は、各ゴム弾性体３３ａ、３３ａの一端面が各立上り部３１ｃ、３１ｃに加硫接着されて、取付部材３１、３１と一体的に設けられている。この弾性支持部材３３、３３は、連結ボルト３３ｃ、３３ｃの各ねじ部がマス部材３２の両端面に設けられたねじ穴にそれぞれ螺合された後、ナット３３ｄ、３３ｄで緊締されることによりマス部材３２と連結されている。これにより、マス部材３２は、弾性支持部材３３、３３によって両端が弾性支持されている。なお、ダイナミックダンパ３、…、３の共振周波数は、マス部材３２の質量とゴム弾性体３３ａ、３３ａの剪断方向のばね定数とに基づいて、低減すべき重量床衝撃音の周波数（本実施形態では５２Ｈｚ）に合わせてチューニングされている。
【００２４】
６個のダイナミックダンパ３、…、３は、図１に示すように、中央部の２枚の床パネル２３、２４に対してそれらの幅方向中央部に１個ずつ設置され、その両側の２枚の床パネル２２、２５に対してそれらの幅方向中央部に２個ずつ設置されている。本実施形態の場合、各ダイナミックダンパ３、…、３は、床材２の縦梁１ａ、１ｂが延びる方向の中央部を跨ぐようにして、各取付固定部３１ａ、３１ａが、床材２の縦梁１ａ、１ｂ側の辺（長さＬ）を４等分して該辺の両端から１／４となる位置を通り横梁１ｃ、１ｄと平行な２本の直線Ｌ１、Ｌ２上に位置するように取付ボルト（図示せず）により固定されている。
【００２５】
以上のように構成された本実施形態の床構造において、床材２（床パネル２１〜２６）に飛び跳ねや踏み台からの下降等による衝撃が加わって振動が発生すると、床材２によりその衝撃が緩和されると同時に、振動入力によって床材２が特定の周波数で振動するときに、床材２に対してダイナミックダンパ３、…、３のマス部材３２がゴム弾性体３３、３３のばね作用を介して共振することにより、床材２の振動が減衰し抑制される。これにより、床に発生する重量床衝撃音（６３Ｈｚ帯域）が効率的に低減される。
【００２６】
以上のように、本実施形態の床構造によれば、所定距離を隔てて配置された複数の取付固定部３１ａ、３１ａを有する取付部材３１、３１を備え、床材２の縦梁１ａ、１ｂ側の辺を４等分して該辺の両端から１／４となる位置を通り横梁１ｃ、１ｄと平行な２本の直線Ｌ１、Ｌ２上に各取付固定部３１ａ、３１ａが位置するように固定されているため、床重量（振動体重量）に対するマス部材３２の総合質量の比率を小さくすることができ、これにより、床重量のアップを抑制しつつ、重量床衝撃音を効率的に低減することができる。本実施形態の床構造から得られる上記の優れた効果は、本発明者等が行った後述の試験により確認されている。
【００２７】
なお、本実施形態では、各ダイナミックダンパ３、…、３は、床材２の縦梁１ａ、１ｂが延びる方向の中央部を跨ぐようにして、各取付固定部３１ａ、３１ａが両方の直線Ｌ１、Ｌ２上に位置するように取付けられているが、マス部材３２の長さを調節して、各取付固定部３１ａ、３１ａがどちらか一方の直線Ｌ１、Ｌ２上にのみ位置するように取付けることも可能である。
【００２８】
また、本実施形態では、ゴム弾性体３３、３３が剪断変形するようにマス部材３２の両端を弾性支持する剪断タイプのダイナミックダンパ３、…、３が採用されているが、例えば図３（ａ）（ｂ）に示すような圧縮タイプのダイナミックダンパ４を採用してもよい。このダイナミックダンパ４は、支持基板４１ａと支持基板４１ａの両端に所定距離を隔てて設けられた一対の取付固定部４１ｂ、４１ｂとを有する取付部材４１と、支持基板４１ａに固着された一対の弾性支持部材４２、４２と、鉄系金属により矩形のブロック状に形成されて弾性支持部材４２、４２に弾性支持されたマス部材４３とからなるものである。各弾性支持部材４２は、円柱状に形成されたゴム弾性体４２ａと、円板状に形成されてゴム弾性体４２ａの両端面にそれぞれ加硫接着された金属プレート４２ｂ、４２ｂと、頭部がゴム弾性体４２ａに埋設されてねじ部が金属プレート４２ｂ、４２ｂの中央部に形成された挿通孔から突出する連結ボルト４２ｃ、４２ｃと、各連結ボルト４２ｃ、４２ｃに螺着されたナット４２ｄ、４２ｄとからなる。
【００２９】
この弾性支持部材４２、４２は、一方の連結ボルト４２ｃ、４２ｃの各ねじ部がマス部材３２下端面に設けられたねじ穴にそれぞれ螺合された後、ナット４２ｄ、４２ｄで緊締されることによりマス部材４３と連結されている。そして、他方の連結ボルト４２ｃ、４２ｃの各ねじ部が支持基板４１ａに設けられた挿通孔にそれぞれ挿通された後、ナット４２ｄ、４２ｄで緊締されることにより支持基板４１ａに固着されている。これにより、マス部材４３は、支持基板４１ａに対して弾性支持部材４２、４２により弾性支持されている。なお、このダイナミックダンパ４を採用する場合にも、床材２に対して取付固定部４１ｂ、４１ｂが２本の直線Ｌ１、Ｌ２上に位置するように固定される。
【００３０】
〔試験〕
上記実施形態の床構造の遮音性能を調べるために、ＪＩＳ・Ａ１４１８−２「建築物の床衝撃音遮断性能の測定方法・第２部：標準重量衝撃源による方法」に基づいて試験を行った。この試験では、ベースとして、図４（ａ）に示すように、上記実施形態の最小単位の梁伏が二つ組み合わされた状態の床梁１で構成される床構造を採用した。なお、このベースの床構造においては、床梁１の横梁１ｃと床パネル２１〜２６との間には、通し鋼（図示せず）により連結された４個のソリッドタイプのゴムマウント（図示せず）が距離を隔てて所定箇所に設置されている。また、床梁１の横梁１ｄ、１ｅと床パネル２１〜２６との間には、それぞれ通し鋼（図示せず）により連結された４個の液体封入式ゴムマウント（図示せず）が距離を隔てて所定箇所に設置されている。ベースの床重量（振動体重量）は８００ｋｇであった。また、ベースの床構造は、床の下に下階の天井が配設されている「天井有り」の構造のものである。
【００３１】
実施例として準備した床構造は、図４（ｃ）に示すように、上記ベースの最小単位の一つの梁伏に対して、上記実施形態と同じ構成の６個のダイナミックダンパ（図中黒塗りで表されている。）を、上記実施形態と同じように直線Ｌ１、Ｌ２上に取付固定部が位置するように固定して床パネル２２〜２５に設置したものである。この場合、マス部材の総合質量は９０ｋｇであり、床重量に対するマス部材の総合質量の比率は約１１％である。
【００３２】
また、比較例として、図４（ｂ）に示すように、上記ベースの最小単位の一つの梁伏に対して、実施例と同じタイプのダイナミックダンパ（図中黒塗りで表されている。）を８個設置した床構造を準備した。比較例のダイナミックダンパは、各マス部材の質量が７．５ｋｇで実施例のものと同じであるが、実施例のものより長さが少し短くされている点でのみ異なるものである。比較例のダイナミックダンパは、床材の縦梁１ａ、１ｂ側の辺を４等分して該辺の両端から略１／４となる位置を通り横梁１ｃ、１ｄ、１ｅと平行な２本の直線Ｌ１、Ｌ２上に沿って二列に配置されており、それぞれの列に重心が沿うようにして４枚の床パネル２２〜２４に２個ずつ設置されている。この場合、マス部材の総合質量は１２０ｋｇであり、床重量に対するマス部材の総合質量の比率は約１５％である。
【００３３】
これらベース、実施例及び比較例の床構造について、上記試験方法に基づいて衝撃音（衝撃音レベル（ｄＢ））を測定し、また床加速度スペクトル解析及び狭帯域音スペクトル解析を行ったところ、それぞれ表１、図５及び図６に示す結果が得られた。表１に示されるように、比較例の場合には、重量床衝撃音レベルのオクターブバンド中心周波数６３Ｈｚ帯域において、ベースに対してΔ５ｄＢの大幅な低減効果が得られた。また、実施例の場合にも、重量床衝撃音レベルのオクターブバンド中心周波数６３Ｈｚ帯域において、比較例と同等のΔ５．２ｄＢの大幅な低減効果が得られた。そして、図５及び図６からは、ベースに対して実施例及び比較例は共に、特に４０Ｈｚ〜６０Ｈｚ付近において、振動加速度レベルや音圧レベルが低減していることがわかる。このことから、表１の結果と合わせて、重量床衝撃音レベルが大幅に低減されていることがわかる。
【００３４】
【表１】
0004732909.tif 000002
【００３５】
以上の結果から、実施例の場合には、ダイナミックダンパの設置個数が比較例に比べ少なく、且つ、マス部材の総合質量が比較例に比べて３０ｋｇ（２５％）も少ないにも拘わらず、比較例と同等の重量床衝撃音の低減効果が得られることが解る。即ち、ダイナミックダンパを実施例のように設置すれば、床重量（振動体重量）に対するマス部材の総合質量の比率を小さくすることができ、これにより、床重量のアップを抑制しつつ、重量床衝撃音を効率的に低減することができることが判明した。
【図面の簡単な説明】
【００３６】
【図１】本発明の実施形態に係る床構造の底面図であって上階の床を下階側から見上げた状態を示す図である。
【図２】本発明の実施形態に係る床構造に用いられるダイナミックダンパを示す図であって（ａ）はその平面図、（ｂ）はその正面図である。
【図３】本発明の実施形態に係る床構造に用いられる他のダイナミックダンパを示す図であって（ａ）はその平面図、（ｂ）はその正面図である。
【図４】（ａ）〜（ｃ）試験におけるベース、比較例及び実施例のダイナミックダンパの配置個所を模式的に示す説明図である。
【図５】試験におけるベース、比較例及び実施例の床加速度スペクトルの解析結果を示すグラフである。
【図６】試験におけるベース、比較例及び実施例の狭帯域音スペクトルの解析結果を示すグラフである。
【符号の説明】
【００３７】
１…床梁    １ａ、１ｂ…縦梁    １ｃ、１ｄ、１ｅ…横梁    ２…床材    ２１〜２６…床パネル    ３、４…ダイナミックダンパ    ３１、４１…取付部材    ３１ａ、４１ｂ…取付固定部    ３１ｂ…取付孔    ３１ｃ…立上り部    ３２、４３…マス部材    ３３、４２…弾性支持部材    ３３ａ、４２ａ…ゴム弾性体    ３３ｂ、４２ｂ…金属プレート    ３３ｃ、４２ｃ…連結ボルト    ３３ｄ、４２ｄ…ナット    ４１ａ…支持基板
【図１】
0004732909.tif 000003
【図２】
0004732909.tif 000004
【図３】
0004732909.tif 000005
【図４】
0004732909.tif 000006
【図５】
0004732909.tif 000007
【図６】
0004732909.tif 000008